(57)【要約】【課題】汚物や汚水が付着しにくいことと汚れの程度を目視確認できることとを両立させ、乾燥にも有利な人体局部洗浄装置を提供する。【解決手段】便器後部に搭載される基部２と、前記基部２に装備され人体局部に向けて洗浄水を噴出する噴出口をもつ可動ノズル３と、洗浄処理時に前方斜め下方に前進した前進位置と待機時に後方斜め上方に後退した後退位置とに前記可動ノズル３を切り替えるノズル作動部４と、を備える人体局部洗浄装置１において、前記基部２は、前記便器の便鉢内の空間に対面するとともに前方上端から前方下端に向かうにつれて前記便器の後部方向に後退した傾斜対面壁６と、前記傾斜対面壁６に設けられて前記可動ノズル３が出入りするノズル出入口６１と、を有し、前記可動ノズル３は、前記傾斜対面壁６と平行した先端面３２を有し、前記先端面３２は前記後退位置において前記傾斜対面壁６と略同一面まで後退する。【選択図】図２
2008240360.tif 000002
【特許請求の範囲】
【請求項１】
便器後部に搭載される基部と、前記基部に装備され人体局部に向けて洗浄水を噴出する噴出口をもつ可動ノズルと、洗浄処理時に前方斜め下方に前進した前進位置と待機時に後方斜め上方に後退した後退位置とに前記可動ノズルを切り替えるノズル作動部と、を備える人体局部洗浄装置において、
前記基部は、前記便器の便鉢内の空間に対面するとともに前方上端から前方下端に向かうにつれて前記便器の後部方向に後退した傾斜対面壁と、前記傾斜対面壁に設けられて前記可動ノズルが出入りするノズル出入口と、を有し、
前記可動ノズルは、前記傾斜対面壁と平行した先端面を有し、前記先端面は前記後退位置において前記傾斜対面壁と略同一面まで後退する、
ことを特徴とする人体局部洗浄装置。
【請求項２】
前記基部の前記傾斜対面壁は、前記便鉢の上面に対して所定角度傾斜している請求項１に記載の人体局部洗浄装置。
【請求項３】
前記傾斜対面壁が前記便鉢の上面に対して傾斜する前記所定角度は３０°である請求項２に記載の人体局部洗浄装置。
【請求項４】
前記傾斜対面壁の前記ノズル出入口は、前記便鉢の上面と略同一高さに設けられる、請求項１〜３のいずれかに記載の人体局部洗浄装置。
【請求項５】
前記基部の前記傾斜対面壁は、前記便器に設けられた便座の開口部内側後方の立ち面よりも後方に配置されている、請求項１〜４のいずれかに記載の人体局部洗浄装置。
【請求項６】
前記基部の前記傾斜対面壁に、前記人体局部を乾燥させるための温風を吹き出す温風送風口を有する、請求項１〜５のいずれかに記載の人体局部洗浄装置。
【発明の詳細な説明】
【技術分野】
【０００１】
本発明は、洋式便器に搭載されて人体局部を洗浄する人体局部洗浄装置に関する。
【背景技術】
【０００２】
人体局部洗浄装置は、便器後部に搭載される基部と、基部に装備され人体局部に向けて洗浄水を噴出するノズルと、ノズルを進退駆動するノズル作動部と、を備えるのが一般的である。そして、洗浄処理時には、ノズル作動部がノズルを前方斜め下方に前進させて、洗浄水の噴出口を人体局部に近づけた後に、洗浄水が噴出するようになっている。洗浄処理が終わると、ノズル作動部はノズルを後方斜め上方に後退させて待機させ、汚物や汚水が付着することを抑制している。特許文献１のトイレ装置では、可動ノズル先端部の上面を平坦化させた平坦部を形成し、平坦部に洗浄水の噴出口を形成した構造が開示されている。このトイレ装置によれば、噴出口が平坦部に形成されているため、洗浄水の噴出方向が安定化すると記載されている。
【０００３】
また一方、人体局部洗浄装置には、温風を吹き出して洗浄後の人体局部を乾燥させる乾燥機構を有するものも多い。乾燥機構は、基部内に設けられて空気を加熱するヒータと、洗浄ノズルの近傍に設けられた温風送風口と、を有するのが一般的である。
【特許文献１】国際公開番号ＷＯ２００４／０８３５３９
【発明の開示】
【発明が解決しようとする課題】
【０００４】
特許文献１を初めとする従来の一般的な人体局部洗浄装置の可動ノズルの例を図４に示す。従来の可動ノズル９１は、洗浄処理時に図中ＹＤの方向に前進し、上面の噴出口９２から洗浄水を噴出するようになっている。ここで、可動ノズル９１先端の長さ方向の垂直断面は略矩形断面とされており、先端面９３は便鉢内の空間で下方に向きつつも横方にも指向している。このように、先端面９３が横方に指向していると、洗浄処理時に汚物や汚水などの汚れが付着するおそれが少なからずある。そして、付着した汚れが乾燥すると清掃が行いにくくなるので、可動ノズル９１の先端面９３を長期にわたり清潔に保つには限界があった。
【０００５】
また、待機時の後退位置において、可動ノズルの先端が基部よりも突出した状態にあると汚水がかかりやすく、さらには、汚水が伝って可動ノズルの先端に滞留するなどして、好ましくない。基部の内側にまで可動ノズルの先端を後退させ、場合によってはシャッターを備えるようにすれば、汚れの付着するおそれは低減されるが、やはり目視確認が困難になり、清掃にも手間がかかる。
【０００６】
ところで、汚れが見えるということは、一般の使用者に不快感を与えるおそれがある。したがって、使用者には汚れが見えにくいとともに、清掃者には汚れの程度を容易に確認できる構造が好ましい。
【０００７】
さらに、乾燥機構を有する態様では、温風吹出口を可動ノズルの出入口に隣接して設ける場合が多いが、従来の装置では吹き出し方向が必ずしも最適とは言えず、乾燥効率にはまだ向上の余地がある。
【０００８】
本発明は上記背景に鑑みてなされたものであり、汚物や汚水が付着しにくいことと汚れの程度を目視確認できることとを両立させ、乾燥にも有利な人体局部洗浄装置を提供する。
【課題を解決するための手段】
【０００９】
本発明の人体局部洗浄装置は、便器後部に搭載される基部と、前記基部に装備され人体局部に向けて洗浄水を噴出する噴出口をもつ可動ノズルと、洗浄処理時に前方斜め下方に前進した前進位置と待機時に後方斜め上方に後退した後退位置とに前記可動ノズルを切り替えるノズル作動部と、を備える人体局部洗浄装置において、前記基部は、前記便器の便鉢内の空間に対面するとともに前方上端から前方下端に向かうにつれて前記便器の後部方向に後退した傾斜対面壁と、前記傾斜対面壁に設けられて前記可動ノズルが出入りするノズル出入口と、を有し、前記可動ノズルは、前記傾斜対面壁と平行した先端面を有し、前記先端面は前記後退位置において前記傾斜対面壁と略同一面まで後退する、ことを特徴とする。
【００１０】
本発明は、便鉢に対面する基部の対面壁の構造と、可動ノズル先端の形状とを改良して、汚れにくくかつ汚れの程度を目視確認できるようにしたことを要旨としている。本発明の人体局部洗浄装置を構成する基部と、可動ノズルと、ノズル作動部との基本的な構成及び機能は従来と同様であり、形状改良による清潔性、清掃作業性、快適性の向上を目的としている。
【００１１】
基部は、人体局部洗浄装置の筐体を成す部材であり、便器後部、通常その上面に搭載することができる。基部は、便器の便鉢内の空間に対面するとともに前方上端から前方下端に向かうにつれて便器の後部方向に後退した傾斜対面壁を有するように形成することができる。つまり、基部の前側上端は便鉢中央方向に張り出し、前側下端は便器後部方向に引っ込んで、傾斜した対面壁とすることができる。
【００１２】
前記基部の前記傾斜対面壁は、前記便鉢の上面に対して所定角度傾斜していることが好ましい。この対面壁は、従来下向きに設けられていたが、本発明では便鉢上面に対して所定角度傾斜した傾斜対面壁とすることが好ましい。この傾斜が大きいほど、すなわち傾斜対面壁が垂直に近づくにしたがい、便鉢中央方向に正対することになって汚れやすくなるため、好ましくない。一方、傾斜のない水平下向きの対面壁では、後述するように目視確認が難しくなり、やはり好ましくない。両方を満足させるために、前記傾斜対面壁が前記便鉢の上面に対して傾斜する前記所定角度は３０°近傍とすることが好ましい。
【００１３】
この傾斜対面壁の一部に、可動ノズルが出入りするノズル出入口を形成することができる。可動ノズルは、基部に装備され人体局部に向けて洗浄水を噴出する噴出口をもっている。可動ノズルの先端面は平面状とし、傾斜対面壁と平行させることができる。そして、先端面と傾斜対面壁との平行を維持したままで、可動ノズルが前進及び後退するように構成することができる。さらに、可動ノズルの後退位置で、先端面が傾斜対面壁と略同一面まで後退するように構成することができる。つまり、待機時に、後退した可動ノズルの先端面がノズル出入口に達して、傾斜対面壁と同一面を形成するように構成することができる。
【００１４】
前記傾斜対面壁の前記ノズル出入口は、前記便鉢の上面と略同一高さに設けられる、ことが好ましい。傾斜対面壁の高さ方向の配置として便鉢の上面のレベルを含み、便鉢の上面と略同一高さの位置にノズル出入口を形成することができる。
【００１５】
次に、上述のように構成された本発明の人体局部洗浄装置の作用について説明する。洗浄処理時に、前進した可動ノズルの先端面は水平面に対して傾斜して下を向いている。したがって、従来の横方にも指向した先端面とは異なり、飛散する汚物や汚水の付着が抑制される。また、洗浄処理が終わり後方斜め上方に後退して待機状態となった可動ノズルの先端面は、傾斜対面壁と略同一面を形成している。したがって、傾斜対面壁を伝う汚水などが滞留して汚れが蓄積するおそれはない。以上のように、本発明では、洗浄処理時と待機時のいずれにおいても、可動ノズルの先端面の汚れを抑制することができる。また、清掃者が便座のすぐ上、あるいは便鉢のすぐ上から便器後方を略水平に見れば、傾斜対面壁の全体あるいは一部と可動ノズルの先端面とを直視することができる。したがって、汚れの程度を目視確認することができ、清掃作業に好都合である。
【００１６】
前記基部の前記傾斜対面壁は、前記便器に設けられた便座の開口部内側後方の立ち面よりも後方に配置されている、ようにしてもよい。傾斜対面壁の前後方向の配置として、便座の開口部内側後方の立ち面よりも後方に配置することができる。傾斜対面壁を後退させることにより、傾斜対面壁自体の汚損を抑制できるとともに、汚損した壁面が使用者の目に触れる機会を減らすことができる。
【００１７】
前記基部の前記傾斜対面壁に、人体局部を乾燥させるための温風を吹き出す温風送風口を有する、ようにしてもよい。傾斜した対面壁に温風送風口を設けて温風を斜めに吹き出すことにより、従来の下向きに吹き出す場合よりも人体局部に温風が当たりやすくして、乾燥の効率を高めることができる。
【発明の効果】
【００１８】
以上説明した本発明の人体局部洗浄装置によれば、基部に傾斜対面壁を形成し、可動ノズルの先端面を傾斜対面壁に平行させ略同一面まで後退させるようにしたので、可動ノズルの先端面は洗浄処理時及び待機時いずれにおいても汚損が抑制される。また、便器前方から後方を略水平に見れば、傾斜対面壁や可動ノズルの先端面の汚れの程度を目視確認することができるので、清掃作業に好都合である。
【００１９】
傾斜対面壁を便座内側後方の立ち面よりも後方に配置した態様では、傾斜対面壁自体の汚損を抑制できるとともに、汚損した壁面が使用者の目に触れる機会を減らすことができる。さらに、傾斜対面壁に温風送風口を設けた態様では、温風を斜めに吹き出すことにより、乾燥の効率を高めることができる。
【発明を実施するための最良の形態】
【００２０】
本発明を実施するための最良の形態を、図１〜図３を参考にして説明する。図１は、洋式便器に設置された本発明の実施例の人体局部洗浄装置の断面図である。実施例の人体局部洗浄装置１は、基部２と、可動ノズル３と、ノズル作動部４とを備えている。基部２は、図示されるように洋式便器８１の後部上面に搭載されており、図中右斜め下方に前進する可動ノズル３を装備している。そして、基部２内に、可動ノズル３の前進位置と後退位置とを切り替えるノズル作動部４が収容されている。実施例の人体局部洗浄装置１は乾燥機構を備え、さらに、便座装置を兼ねて便座５及び便座枢支部５１を備えている。
【００２１】
以下、図２を参考にして詳細に説明する。図２は、本発明の実施例の人体局部洗浄装置１を説明する拡大断面図である。基部２は、便器に保持される略受け皿形状のロアケース２１と、下方に開きロアケース２１に被さって収容室２３を形成するアッパーケース２２、とで形成されている。収容室２３内の図中右上部には便座枢支部５１が設けられており、便座枢支部５１は便座５を回動可能に保持している。ロアケース２１の図中右側の便鉢８２内の空間に対面する部分からアッパーケース２２の前下端２４にかけては、傾斜した平面が形成されて傾斜対面壁６となっている。傾斜対面壁６は、前方上端が便鉢８２中央方向に張り出し、前方下端が後退しており、便鉢８２の上面８３に対して所定角度Ａだけ傾斜している。この所定角度Ａとして、３０°近傍を例示することができる。傾斜対面壁６の略中央の便鉢８２の上面８３の高さに相当する箇所には、ノズル出入口６１が形成されている。また、傾斜対面壁６の前方上端となっているアッパーケース２２の前下端２４は、便座５の開口部内側後方の立ち面５２よりも、図中Ｄ寸法だけ後方に配置されている。
【００２２】
一方、基部２内の収容室２３には、ノズルガイド２５が図中左上から右下方向に延設され、ホルダ２６によって保持されている。ノズルガイド２５の途中には、ノズル作動部４を構成するピニオンギヤ４１が配設されており、ピニオンギヤ４１は符号略のモータにより駆動されるように構成されている。
【００２３】
可動ノズル３は、ノズルガイド２５上に配設されており、上面には洗浄水の噴出口を備え、下面にはラックギヤ３１を備えている。ラックギヤ３１がピニオンギヤ４１と噛合することにより、可動ノズル３がノズルガイド２５上を前進及び後退するようになっている。図２において、可動ノズル３は待機時の後退位置Ｒにある。このとき、可動ノズル３の先端面３２は、ノズル出入口６１をちょうど塞ぐようになって、傾斜対面壁６と同一面を形成している。そして、洗浄処理時には、可動ノズル３は破線で示される前進位置Ｆまで前進するように構成されている。前進に際して、可動ノズル３の先端面３２は、傾斜対面壁６と平行を維持しつつ移動するようになっている。
【００２４】
なお、可動ノズル３の先端面３２と傾斜対面壁６とで同一面を形成するために、可動ノズル３の先端の長さ方向の垂直断面は、先端上側が鋭角断面ＡＳに形成され、先端下側が鈍角断面ＡＭに形成されている。
【００２５】
次に、上述のように構成された実施例の人体局部洗浄装置１の作用、効果について説明する。洗浄処理時に、ピニオンギヤ４１がラックギヤ３１を駆動し、可動ノズル３は前進位置Ｆまで前進して洗浄水を噴出する。このとき、図２に示されるように可動ノズル３の先端面３２Ｘは傾斜対面壁６と平行しており、便鉢８２の上面８３に対して３０°近傍の所定角度Ａで傾斜している。したがって、図１の従来の横方を指向する先端面９３とは異なり、飛散する汚物や汚水が付着し難くなっている。また、待機時には、可動ノズル３は後退位置Ｒまで後退し、先端面３２はノズル出入口６１と同一面を形成するので、汚水などが滞留して汚れが蓄積するおそれは少ない。さらに、傾斜対面壁６は便座５の開口部内側後方の立ち面５２よりもＤ寸法だけ後方に配置されており、便鉢中央から離れている分だけ汚れにくくなっている。
【００２６】
一方、図１に白抜き矢印Ｃで示すように、清掃者が便座５を上げて便鉢８２前方のすぐ上から便器後方を略水平に見れば、傾斜対面壁６の全体と可動ノズル３の先端面３２とを直視することができる。したがって、汚れの程度を目視確認することができ、また清掃後の状態を目視確認することができて、清掃作業に好都合である。また、白抜き矢印Ｕで示すように、一般の使用者が上方から便鉢８２をのぞき込んでも、Ｄ寸法だけ後方に配置されている傾斜対面壁６は見えにくく、汚物を目にして不快感を生じるおそれを回避することができる。
【００２７】
次に、実施例の人体局部洗浄装置１の乾燥機構について、図３を参考にして説明する。図３は、ノズル出入口６１に隣接して設けられた温風送風口を説明する拡大断面図である。温風送風口７は、傾斜対面壁６のノズル出入口６１に隣接して設けられており、図２の紙面奥側に配置されている。温風送風口７には、図３に示されるように常時はシャッター７１が配されて、収容室２３内に汚物や汚水が侵入しないようにになっている。そして、洗浄処理後の乾燥時に、シャッター７１が開放されて、図中に白抜き矢印で示されるように斜め下方に向けて温風が吹き出されるようになっている。
【００２８】
このように、傾斜対面壁６に温風送風口７を設けたことにより、温風は自動的に斜めに吹き出されるので、従来の下向きに吹き出す構成よりも人体局部に温風が当たりやすく、乾燥の効率が高められる。
【図面の簡単な説明】
【００２９】
【図１】洋式便器に設置された本発明の実施例の人体局部洗浄装置の断面図である。
【図２】本発明の実施例の人体局部洗浄装置を説明する拡大断面図である。
【図３】図２の実施例において、ノズル出入口に隣接して設けられた温風送風口を説明する拡大断面図である。
【図４】従来の一般的な人体局部洗浄装置の可動ノズルを説明する図である。
【符号の説明】
【００３０】
１：人体局部洗浄装置
２：基部            ２１：ロアケース        ２２：アッパーケース
２３：収容室            ２５：ノズルガイド
３：可動ノズル      ３１：ラックギヤ
４：ノズル作動部    ４１：ピニオンギヤ
５：便座            ５１：便座枢支部
６：傾斜対面壁
７：温風送風口      ７１：シャッター
８１：便器          ８２：便鉢              ８３：便鉢の上面
９１：従来の可動ノズル
Ｆ：前進位置          Ｒ：後退位置
Ａ：所定角度
【図１】
2008240360.tif 000003
【図２】
2008240360.tif 000004
【図３】
2008240360.tif 000005
【図４】
2008240360.tif 000006